(57)【要約】【課題】配線部材を電気コネクタに挿入する際の力を小さくでき作業性を良好に保つと共に、コンタクトと接点部との電気的接続を良好に得ることができる。【解決手段】電気コネクタは、収容部を有するハウジングと、第１位置と第２位置との間で変位可能なアクチュエータと、ハウジングの第１壁部と第２壁部との間に支持され、一方のビームが第１壁部側に位置したコンタクトと、収容部に収容され、挿入された配線部材に当接する押圧部材と、を備え、一方のビームは、アクチュエータの第１位置から第２位置への変位において、アクチュエータに当接して押圧され、第１壁部側から第２壁部側に向けて変位可能であり、配線部材と接触可能な接触部を有する。また、第１位置から第２位置に変位されている最中に、アクチュエータは、収容部に挿入された配線部材に一方のビームの接触部を弾性接触させた状態で押圧部材を押圧して配線部材を抜去方向に移動させる。【選択図】図１
2018018631.tif 000002
【特許請求の範囲】
【請求項１】
配線部材の端部が挿入される収容部を有する絶縁性のハウジングと、
第１位置と第２位置との間で変位可能に構成されたアクチュエータと、
前記ハウジングの第１壁部と前記第１壁部に対向する第２壁部との間に支持され、２つのビームからなり、一方のビームが前記第１壁部側に位置した導電性のコンタクトと、
前記収容部に収容され、前記挿入された配線部材に当接する押圧部材と、を備え、
前記一方のビームは、前記アクチュエータの前記第１位置から前記第２位置への変位において、前記アクチュエータに当接して押圧され、前記ハウジングの前記第１壁部側から前記第２壁部側に向けて変位可能であり、前記配線部材の接点部と接触可能な接触部を有し、
前記第１位置から前記第２位置に変位されている最中に、前記アクチュエータは、前記収容部に挿入された配線部材の前記接点部に前記一方のビームの前記接触部を弾性接触させた状態で前記押圧部材を押圧して前記配線部材を前記収容部から排出する方向となる抜去方向に移動させ、前記配線部材の前記接点部と前記一方のビームの前記接触部とを摺接させること
を特徴とする電気コネクタ。
【請求項２】
前記押圧部材は、複数の前記コンタクトの配列方向に延び、前記収容部に挿入された前記配線部材に当接する梁部を有すること
を特徴とする請求項１に記載の電気コネクタ。
【請求項３】
前記押圧部材は、前記梁部の両端に配置され、前記アクチュエータに当接する一対の押圧部を有すること
を特徴とする請求項２に記載の電気コネクタ。
【請求項４】
前記押圧部材は、更に、前記アクチュエータに当接する補助押圧部を有し、
前記補助押圧部は、一対の前記押圧部の間に配置されること
を特徴とする請求項３に記載の電気コネクタ。
【請求項５】
前記押圧部材は、前記押圧部および前記補助押圧部の一方または双方に設けられた係止部で前記アクチュエータに係止されること
を特徴とする請求項４に記載の電気コネクタ。
【請求項６】
前記アクチュエータは、前記第１位置と前記第２位置との間で前記ハウジングに対して回動可能に支持されること
を特徴とする請求項１に記載の電気コネクタ。
【請求項７】
前記アクチュエータは、前記配線部材に前記コンタクトを弾性接触させる第１カム、および前記押圧部材を移動させる第２カムを有すること
を特徴とする請求項６に記載の電気コネクタ。
【請求項８】
配線部材の端部が挿入される収容部を有する絶縁性のハウジングと、
第１位置と第２位置との間で前記ハウジングに対してスライド変位可能に構成されたアクチュエータと、
前記ハウジングの第１壁部と前記第１壁部に対向する第２壁部との間に支持され、２つのビームからなり、一方のビームが前記第１壁部側に位置した導電性のコンタクトと、
を備え、
前記一方のビームは、前記アクチュエータの前記第１位置から前記第２位置へのスライド変位において、前記アクチュエータに当接して押圧され、前記ハウジングの前記第１壁部側から前記第２壁部側に向けて変位可能であり、前記配線部材の接点部と接触可能な接触部を有し、
前記アクチュエータは、
前記ビームに沿って配置され、前記収容部に挿入された前記配線部材に当接する挿入押圧部を有し、
前記第１位置から前記第２位置にスライド変位されている最中に、前記収容部に挿入された配線部材の前記接点部に前記一方のビームの前記接触部を弾性接触させた状態で前記挿入押圧部をスライド変位させて前記配線部材を前記収容部から排出する方向となる抜去方向に移動させ、前記配線部材の前記接点部と前記一方のビームの前記接触部とを摺接させること
を特徴とする電気コネクタ。
【発明の詳細な説明】
【技術分野】
【０００１】
開示の実施形態は、電気コネクタに関する。
【背景技術】
【０００２】
従来、平型の配線部材を導電性のコンタクトと電気的に接続させる電気コネクタが広く用いられている。従来の電気コネクタは、例えば、コンタクトに対して配線部材の接点部が摺動しながら挿入される、いわゆるｎｏｎ−ＺＩＦ（ｎｏｎ−Ｚｅｒｏ  Ｉｎｓｅｒｔｉｏｎ  Ｆｏｒｃｅ）構造が採用されていたが、配線部材の接点部の数が増えてくると配線部材を挿入する際に大きな力が必要となり、作業性が悪かった。そこで、配線部材を挿入する際の力を小さくするために、配線部材の挿入中には接点部と接触せず、配線部材の挿入完了後、コンタクトの接触部を接点部と接触するように変位させるアクチュエータ等を有したＺＩＦ（Ｚｅｒｏ  Ｉｎｓｅｒｔｉｏｎ  Ｆｏｒｃｅ）構造の電気コネクタが採用されるようになった（例えば、特許文献１、特許文献２参照）。
【先行技術文献】
【特許文献】
【０００３】
【特許文献１】特開２０１３−１９６８９２号公報
【特許文献２】特開２０１３−２６１０１号公報
【発明の概要】
【発明が解決しようとする課題】
【０００４】
しかしながら、従来の電気コネクタ（ＺＩＦ構造のコネクタ）では、配線部材の挿入中において、コンタクトに対して配線部材の接点部が摺動せずに挿入されることで、配線部材を挿入する際の作業性はよくなったが、コンタクトおよび接点部の表面の酸化被膜や異物（ごみ）などを除去する、いわゆる、ワイピング効果が得られなくなった。それにより、配線部材とコンタクトとの電気的接続を良好に得ることができないことがあった。
【０００５】
実施形態の一態様は、上記に鑑みてなされたものであって、配線部材を電気コネクタに挿入する際の力を小さくでき作業性を良好に保つと共に、コンタクトと接点部との電気的接続を良好に得ることができる電気コネクタを提供することを目的とする。
【課題を解決するための手段】
【０００６】
実施形態の一態様に係る電気コネクタは、配線部材の端部が挿入される収容部を有する絶縁性のハウジングと、第１位置と第２位置との間で変位可能に構成されたアクチュエータと、前記ハウジングの第１壁部と前記第１壁部に対向する第２壁部との間に支持され、２つのビームからなり、一方のビームが前記第１壁部側に位置した導電性のコンタクトと、前記収容部に収容され、前記挿入された配線部材に当接する押圧部材と、を備える。また、前記一方のビームは、前記アクチュエータの前記第１位置から前記第２位置への変位において、前記アクチュエータに当接して押圧され、前記ハウジングの前記第１壁部側から前記第２壁部側に向けて変位可能であり、前記配線部材の接点部と接触可能な接触部を有する。さらに、前記第１位置から前記第２位置に変位されている最中に、前記アクチュエータは、前記収容部に挿入された配線部材の前記接点部に前記一方のビームの前記接触部を弾性接触させた状態で前記押圧部材を押圧して前記配線部材を前記収容部から排出する方向となる抜去方向に移動させ、前記配線部材の前記接点部と前記一方のビームの前記接触部とを摺接させる。
【０００７】
また、実施形態の別の一態様に係る電気コネクタは、配線部材の端部が挿入される収容部を有する絶縁性のハウジングと、第１位置と第２位置との間で前記ハウジングに対してスライド変位可能に構成されたアクチュエータと、前記ハウジングの第１壁部と前記第１壁部に対向する第２壁部との間に支持され、２つのビームからなり、一方のビームが前記第１壁部側に位置した導電性のコンタクトと、を備える。また、前記一方のビームは、前記アクチュエータの前記第１位置から前記第２位置へのスライド変位において、前記アクチュエータに当接して押圧され、前記ハウジングの前記第１壁部側から前記第２壁部側に向けて変位可能であり、前記配線部材の接点部と接触可能な接触部を有する。さらに、前記アクチュエータは、前記ビームに沿って配置され、前記収容部に挿入された前記配線部材に当接する挿入押圧部を有し、前記第１位置から前記第２位置にスライド変位されている最中に、前記収容部に挿入された配線部材の前記接点部に前記一方のビームの前記接触部を弾性接触させた状態で前記挿入押圧部をスライド変位させて前記配線部材を前記収容部から排出する方向となる抜去方向に移動させ、前記配線部材の前記接点部と前記一方のビームの前記接触部とを摺接させる。
【発明の効果】
【０００８】
実施形態の一態様の電気コネクタによれば、配線部材を電気コネクタに挿入する際の力を小さくでき作業性を良好に保つと共に、コンタクトと接点部との電気的接続を良好に得ることができる。
【図面の簡単な説明】
【０００９】
【図１】図１は、実施形態に係る電気コネクタと配線部材とを示した図である。
【図２】図２は、実施形態に係る電気コネクタと配線部材との接続工程の概要を示した図である。
【図３】図３は、実施形態に係る電気コネクタの斜視図である。
【図４】図４は、実施形態に係る電気コネクタを構成する各部材を示した斜視図である。
【図５】図５は、図３のＡ−Ａ線における断面図である。
【図６】図６は、図５のＢ−Ｂ線に相当する断面図である。
【図７】図７は、図５のＣ−Ｃ線に相当する断面図である。
【図８】図８は、実施形態に係るアクチュエータでコンタクトを配線部材に弾性接触させる工程を示した断面図である。
【図９】図９は、実施形態に係るアクチュエータで配線部材を抜去方向に移動させる工程を示した断面図である。
【図１０】図１０は、実施形態の変形例に係る電気コネクタを示した図６に相当する断面図である。
【図１１】図１１は、実施形態に係る他のアクチュエータでコンタクトを配線部材に弾性接触させる工程を示した断面図である。
【図１２】図１２は、実施形態に係る他のアクチュエータで配線部材を抜去方向に移動させる工程を示した断面図である。
【図１３】図１３は、実施形態に係るさらに他のアクチュエータの斜視図である。
【発明を実施するための形態】
【００１０】
以下、添付図面を参照して、本願の開示する電気コネクタの実施形態について説明する。なお、以下に示す各実施形態によりこの発明が限定されるものではない。
【００１１】
＜１．電気コネクタの概略＞
実施形態に係る電気コネクタの概要について、図１および図２を参照して説明する。なお、図１および図２は、電気コネクタの長手方向（後述する左右方向）における一方の縁部の断面についても示している。
【００１２】
実施形態に係る電気コネクタ１は、電気機器等に搭載される回路基板に取り付けられ、かかる回路基板と、フレキシブル基板などの平型の配線部材とを電気的に接続する機能を有する。
【００１３】
なお、以下において、説明の便宜上、配線部材５０を電気コネクタ１に挿入する方向（Ｘ軸負方向）を「後方向」「挿入方向」とし、その逆方向（Ｘ軸正方向）を「前方向」「抜去方向」とする。また、押圧部材１３から見て操作部１１ｂが配線部材５０の主面Ｍに対して直交した第１位置にあるとき、押圧部材１３から見た操作部１１ｂの方向（Ｚ軸正方向）を「上方向」とし、その逆方向（Ｚ軸負方向）を「下方向」とする。また、「上下方向」と「前後方向」の双方に直交する方向（Ｙ軸正負方向）を「左右方向」とする。
【００１４】
電気コネクタ１は、ハウジング１０と、アクチュエータ１１と、コンタクト１２と、押圧部材１３とを備える。絶縁性のハウジング１０は、配線部材５０の端部が挿入される収容部１０ａを有する。アクチュエータ１１は、押圧部材１３から見て操作部１１ｂが上方向にある第１位置と押圧部材１３から見て操作部１１ｂが後方向にある第２位置との間で変位可能に構成され、ハウジング１０およびコンタクト１２に支持される。導電性のコンタクト１２は、ハウジング１０の内部に支持される。また、コンタクト１２の接触部１２ｆ（図６参照）は、アクチュエータ１１の第１位置から第２位置への変位の最中、コンタクト１２がアクチュエータ１１に当接して押圧されることにより、配線部材５０に向けて変位可能である。そして、コンタクト１２は、アクチュエータ１１が第１位置にある場合は、第２位置にある場合に比べて、配線部材５０が収容部１０ａに挿入される際に必要となる力（以下、挿入力と呼称する。）が小さい。したがって、アクチュエータ１１が第１位置にある場合、配線部材５０を電気コネクタ１の収容部１０ａに挿入する際の作業性は良好に保たれる。
【００１５】
さらに、図２に示すように、配線部材５０が収容部１０ａに挿入された後に、アクチュエータ１１が第１位置から第２位置に回動されると、第１位置から第２位置に変位されている最中に、アクチュエータ１１は、後述する第１カム１１ｃがコンタクト１２の受圧部１２ｇ（図６参照）を押圧することで、各コンタクト１２を、配線部材５０の主面Ｍに配置される電極である接点部５１に弾性接触させる。さらに、アクチュエータ１１は、押圧部材１３を押圧して配線部材５０を収容部１０ａから排出する方向となる抜去方向に移動させ、配線部材５０の接点部５１とコンタクト１２とを摺接させる。このとき、コンタクト１２に対して配線部材５０の接点部５１が摺動するため、いわゆるワイピング効果によりコンタクト１２と接点部５１との電気的接続を良好に得ることができる。
【００１６】
したがって、電気コネクタ１によれば、配線部材５０を電気コネクタ１に挿入する際の挿入力を小さくでき、作業性を良好に保つと共に、コンタクト１２と接点部５１との電気的接続を良好に得ることができる。以下、電気コネクタ１の構成等をさらに詳細に説明する。
【００１７】
＜２．電気コネクタの詳細＞
次に、図３〜図７を参照して電気コネクタ１の構成を説明する。なお、図３〜図７は、いずれもアクチュエータ１１が第１位置にある場合について示している。
【００１８】
ハウジング１０は、配線部材５０（図１参照）の延伸方向（前後方向）と板厚方向の両方に直交する方向（左右方向）を長手方向とする略矩形の形状を有する。ハウジング１０は、例えば樹脂材料などの絶縁性の材料で構成され、電子機器等に搭載される回路基板６０に設置される。ハウジング１０は、第１壁部１０ｃと第１壁部１０ｃに対向する第２壁部１０ｄとを有する。そして、第１壁部１０ｃおよび第２壁部１０ｄに挟まれるように、前方側が開口して左右方向に延在する収容部１０ａが形成される。また、ハウジング１０には、後方側が開口して左右方向に延在するアクチュエータ設置部１０ｂが形成される。収容部１０ａは、配線部材５０の端部および押圧部材１３の一部を収容可能な空間を有し、アクチュエータ設置部１０ｂは、アクチュエータ１１を収容可能な空間を有する。
【００１９】
アクチュエータ１１は、左右方向を長手方向とする略矩形の形状を有する。アクチュエータ１１は、アクチュエータ設置部１０ｂの後方側に配置される開口から、コンタクト１２の第１ビーム１２ａと第２ビーム１２ｂとの間に支持されて、ハウジング１０の後方側に設置され、第１位置と第２位置との間で回動可能である。アクチュエータ１１は、例えば樹脂材料などの絶縁性の材料で構成される。アクチュエータ１１は、図６および図７に示すように、ハウジング１０の長手方向に沿って延在する本体部１１ａと、本体部１１ａに取り付けられた台形状の操作部１１ｂとを有する。アクチュエータ１１が第１位置にある場合に、本体部１１ａから見て操作部１１ｂが上方向にある。そして、操作部１１ｂが操作されると、アクチュエータ１１は第１位置と第２位置との間で回動する。
【００２０】
アクチュエータ１１は、さらに、複数の第１カム１１ｃと、複数の第２カム１１ｄとを有する。第１カム１１ｃおよび第２カム１１ｄは、アクチュエータ１１の長手方向に沿った共通の仮想軸である軸心１１ｅを含むように形成されている。なお、軸心１１ｅは、アクチュエータ１１が回動する際の中心である。また、複数の第１カム１１ｃはコンタクト１２に対応する位置に、複数の第２カム１１ｄは押圧部材１３（図５参照）に対応する位置に、所定の配列で左右方向にそれぞれ並んでいる。なお、アクチュエータ１１は、例えば、本体部１１ａ、操作部１１ｂ、第１カム１１ｃおよび第２カム１１ｄが一体成型で形成される。
【００２１】
第１カム１１ｃは、アクチュエータ１１が第１位置にある場合に、本体部１１ａの下側に配置される。第１カム１１ｃは、コンタクト１２の第１ビーム１２ａおよび第２ビーム１２ｂの間に位置し、第１ビーム１２ａおよび第２ビーム１２ｂに挟持されることで保持され、アクチュエータ１１を第１位置と第２位置との間で軸心１１ｅを中心として回動可能とする。なお、アクチュエータ１１が第１位置にある場合、第１カム１１ｃは、第２ビーム１２ｂを変位させない状態である。後述するように、第１カム１１ｃは、コンタクト１２の受圧部１２ｇを押圧してコンタクト１２の接触部１２ｆを変位させ、対応する配線部材５０の接点部５１（図１参照）に弾性接触させる機能を有する。
【００２２】
第２カム１１ｄは、アクチュエータ１１が第１位置にある場合に、本体部１１ａの下側（Ｚ軸負方向）に配置される。第２カム１１ｄは、前方側に配置される側面１１ｆで押圧部材１３と当接して、軸心１１ｅを中心として回動し、押圧部材１３を前方側に向かって押圧して配線部材５０を収容部１０ａから排出する方向となる抜去方向に移動させる機能を有する。
【００２３】
コンタクト１２は、図６に示すように、断面視で略Ｈ字形状を成している。コンタクト１２は、ハウジング１０の第１壁部１０ｃと第２壁部１０ｄとの間に配置され、ハウジング１０の長手方向に所定間隔をあけて複数配列されている。コンタクト１２は、例えば、ハウジング１０の後方側から圧入され、突起状の係合部１２ｊをハウジング１０の第２壁部１０ｄの縁部に係止させることにより取り付けられる。コンタクト１２は、例えばベリリウム銅やリン青銅、チタン銅などの弾性を有する導電性の材料で構成される。コンタクト１２は、第２壁部１０ｄ側に位置する第１ビーム１２ａと、第１壁部１０ｃ側に位置する第２ビーム１２ｂと、第１ビーム１２ａおよび第２ビーム１２ｂを連結する連結部１２ｃとを有する。
【００２４】
第１ビーム１２ａは、前後方向に延伸して配置され、連結部１２ｃを挟んで前方の端部に接触部１２ｄを有し、後方の端部に基板接続部１２ｅを有する。接触部１２ｄは、ハウジング１０の収容部１０ａにおける第２壁部１０ｄ側に配設され、配線部材５０と接触する。また、基板接続部１２ｅは、電気コネクタ１が設置される回路基板６０の主面に配置された回路層６１に半田付け等の手段により電気的に接続固定される。第２ビーム１２ｂは、前後方向に延伸して配置され、連結部１２ｃを挟んで前方の端部に接触部１２ｆを有し、後方側に受圧部１２ｇを有する。連結部１２ｃは、第１ビーム１２ａと第２ビーム１２ｂとの間に配置される。
【００２５】
第２ビーム１２ｂの接触部１２ｆは、ハウジング１０の収容部１０ａにおける第１壁部１０ｃ側に配設され、配線部材５０の主面Ｍに配置される接点部５１と接触して電気的に接続される。そして、図６に示すように、アクチュエータ１１が第１位置にある場合には、接触部１２ｆと接触部１２ｄとの上下方向における距離は、配線部材５０の板厚よりも大きい（いわゆる、ＺＩＦ構造）。したがって、アクチュエータ１１が第１位置にある場合には接触部１２ｆは配線部材５０に接触せず、配線部材５０が収容部１０ａに挿入される際の挿入力はほぼゼロである。
【００２６】
また、第１ビーム１２ａは、断面視で第１カム１１ｃの形状に対応し、軸心１１ｅを略中心とした一定径の略円弧に沿った凹形状である回動部１２ｈを有する。そして、第１カム１１ｃは、第２ビーム１２ｂの受圧部１２ｇにより回動部１２ｈに押し当てられて、一定径の円弧である回動部１２ｈに、少なくとも９０度の範囲で回動可能に係止される。
【００２７】
押圧部材１３は、例えば図４に示すように平面視で略Ｅ字形状を有する。押圧部材１３は、ハウジング１０の収容部１０ａに収容可能な形状を有する。押圧部材１３は、一対の押圧部１３ａと、補助押圧部１３ｂと、梁部１３ｃを有し、各部が例えば樹脂材料などの絶縁性の材料で一体成形される。また、押圧部材１３は、配線部材５０の板厚と同一の厚さを有するとよい。
【００２８】
一対の押圧部１３ａは、配線部材５０の延伸方向（前後方向）に延び、複数のコンタクト１２の配列方向における両端に配置される。補助押圧部１３ｂは、配線部材５０の延伸方向（前後方向）に延び、一対の押圧部１３ａの間に配置される。補助押圧部１３ｂは、例えば図４に示すように、一対の押圧部１３ａの略中央の位置に１個設けられる。梁部１３ｃは、複数のコンタクト１２の配列方向（左右方向）に延び、一対の押圧部１３ａおよび補助押圧部１３ｂに接続される。
【００２９】
押圧部材１３はハウジング１０の収容部１０ａに収容され、図５に示すように、押圧部１３ａおよび補助押圧部１３ｂが、ハウジング１０の収容部１０ａの後方側に位置する状態で、前後方向に延びる開口部１０ｅに収容される。押圧部材１３は収容部１０ａ内で前後方向に変位可能に収容される。ここで、押圧部材１３は、押圧部１３ａおよび補助押圧部１３ｂのそれぞれに設けられる突起形状の係止部１３ｄが係合部１１ｄａに（第２カム１１ｄの上部から前方に向かって突出する部材に）係止されている。したがって、配線部材５０が収容部１０ａに挿入されない状態においても、押圧部材１３が収容部１０ａから抜け落ちることを抑制することができる。なお、係止部１３ｄは、押圧部１３ａおよび補助押圧部１３ｂの両方に設けられる必要は無く、どちらか片方に設けられていてもよい。
【００３０】
そして、図７に示すように、開口部１０ｅに収容された押圧部１３ａおよび補助押圧部１３ｂの端部をアクチュエータ１１の第２カム１１ｄの側面１１ｆに当接させている。さらに、押圧部材１３の梁部１３ｃは、後述する図８に示すように、収容部１０ａに挿入される配線部材５０の端部と当接する。すなわち、配線部材５０が収容部１０ａに挿入された場合、押圧部材１３は、第２カム１１ｄと配線部材５０との間に位置する。したがって、電気コネクタ１において、第２カム１１ｄからの前方向の力を、押圧部材１３を介して配線部材５０の端部に伝えることが可能である。
【００３１】
なお、図６に示すように、電気コネクタ１において、アクチュエータ１１が第１位置にある場合、第１カム１１ｃに設けられた略平坦な平坦部１１ｃａが、略平坦な形状である第２ビーム１２ｂの後方下面部１２ｂａに当接して係止され、第１カム１１ｃの回動方向への変位が規制されている。また、アクチュエータ１１の本体部１１ａに設けられた窪み部１１ａａが、アクチュエータ設置部１０ｂの内部に設けられた角部１０ｂａに当接して係止され、本体部１１ａの直下方向および前方向への変位が規制されている。さらに、第１カム１１ｃは、受圧部１２ｇにより凹形状の回動部１２ｈに押し当てられて係止され、第１カム１１ｃの前後方向への変位が規制されている。上述の各種係止により、例えば、作業者が意図せずアクチュエータ１１に触れたとしてもアクチュエータ１１が第１位置から変位することを抑制することができる。
【００３２】
＜３．電気コネクタにおける接続工程の詳細＞
次に、図８および図９を参照して、実施形態の電気コネクタ１における接続工程の詳細について説明する。
【００３３】
アクチュエータ１１が第１位置にある電気コネクタ１の収容部１０ａに、配線部材５０が挿入される。上述したように、アクチュエータ１１が第１位置にある場合、配線部材５０が収容部１０ａに挿入される際の挿入力はほぼゼロである。なお、アクチュエータ１１が第１位置にある場合、配線部材５０は、収容部１０ａから軽い力で引き抜くことができる。
【００３４】
配線部材５０がハウジング１０に挿入された後、操作部１１ｂが操作される。それに伴って、アクチュエータ１１が回動し、第１位置から第２位置に変位する。例えば、アクチュエータ１１は、右側（Ｙ軸負方向）から見て軸心１１ｅを中心として時計回りに約９０度回動する。すると、図８に示すように、コンタクト１２の受圧部１２ｇは、第１カム１１ｃから上方向の圧力を受けて上方向に変位する。ここで、受圧部１２ｇが設けられた第２ビーム１２ｂには、受圧部１２ｇと接触部１２ｆとの間に連結部１２ｃが連結されている。よって、受圧部１２ｇのかかる変位に伴って、第２ビーム１２ｂの接触部１２ｆは、第１ビーム１２ａの接触部１２ｄとの間の距離を小さくするように下方変位する。したがって、接触部１２ｆおよび接触部１２ｄは、それぞれ配線部材５０の主面Ｍに設けられた接点部５１とその反対面とに弾性接触し、電気的に接続される。なお、上述の第１カム１１ｃによるコンタクト１２の変位は、アクチュエータ１１が第１位置から第２位置に変位する最中の略前半部分で行われる。
【００３５】
また、図９に示すように、アクチュエータ１１が第１位置から第２位置に変位している最中に、アクチュエータ１１の第２カム１１ｄは、軸心１１ｅを中心として回動する。このとき、アクチュエータ１１が第１位置にある場合に比べ、第２位置にある場合、第２カム１１ｄの押圧部材１３に当接する側面１１ｆが、軸心１１ｅから離れるので、押圧部材１３の押圧部１３ａおよび補助押圧部１３ｂは、抜去方向に押圧される。
【００３６】
そして、押圧部材１３が抜去方向に押圧されることにより、配線部材５０も押圧部材１３に押圧されて抜去方向に移動する。なお、第１カム１１ｃのカム形状により受圧部１２ｇは徐々に上方向に変位することから、第１カム１１ｃにより配線部材５０がコンタクト１２で完全に挟持される前に、第２カム１１ｄにより配線部材５０が抜去方向に移動する。
【００３７】
ここで、配線部材５０の接点部５１は、コンタクト１２の接触部１２ｄおよび接触部１２ｆに、すでに弾性接触した状態であることから、コンタクト１２の接触部１２ｄおよび接触部１２ｆと配線部材５０の接点部５１とは、配線部材５０の抜去方向への移動に伴い摺接する。そして、かかる摺接により、接触部１２ｄ、接触部１２ｆおよび接点部５１の表面の酸化皮膜や異物などが除去され、互いが清浄面同士で接触する（いわゆるワイピング効果）。したがって、接触部１２ｄおよび接触部１２ｆと接点部５１との電気的接続を良好に得ることができる。
【００３８】
すなわち、電気コネクタ１においては、配線部材５０を電気コネクタ１に接続する際の作業性を良好に保つと共に、コンタクト１２と接点部５１との電気的接続を良好に得ることができる。
【００３９】
また、電気コネクタ１においては、アクチュエータ１１が第２位置にある場合に、第２ビーム１２ｂの接触部１２ｆが配線部材５０の接点部５１を押圧している状態が維持される。すなわち、アクチュエータ１１が第２位置にある場合、配線部材５０はロック状態となり、配線部材５０が電気コネクタ１から抜去されることを抑制することができる。すなわち、アクチュエータ１１が第１位置から第２位置に変位した場合、配線部材５０は、ハウジング１０に係止された収容状態となる。
【００４０】
なお、アクチュエータ１１は、図８に示すように、本体部１１ａの後方側に設けられた略平坦面である第１ストッパ部１１ａｂと、第１カム１１ｃの上部後方側に設けられ、平坦部１１ｃａとは略垂直な平坦面である第２ストッパ部１１ｃｂとを備えている。そして、アクチュエータ１１が第２位置に向かって回動した場合、第１ストッパ部１１ａｂおよび第２ストッパ部１１ｃｂが、コンタクト１２の第１ビーム１２ａの後方上面部１２ａａに突き当たり、それ以上の回動を規制することができる。したがって、アクチュエータ１１に第１ストッパ部１１ａｂおよび第２ストッパ部１１ｃｂを設けることにより、アクチュエータ１１の変位が所定の第２位置で規制される。
【００４１】
なお、ハウジング１０に収容された配線部材５０を、電気コネクタ１から取り外す場合、アクチュエータ１１は第２位置から第１位置に変位される。そして、かかる変位の最中に、アクチュエータ１１は、コンタクト１２の受圧部１２ｇに対する上方向の圧力を低減する。これにより、受圧部１２ｇは下方向に変位し、元の状態へと弾性復帰する。そして、かかる変位に伴い、接触部１２ｆと接触部１２ｄとの上下方向における距離も元の状態へと復帰し、接触部１２ｆは接点部５１から離れるように上方変位する。したがって、配線部材５０のロック状態が解除され、配線部材５０は容易に電気コネクタ１から取り外される。
【００４２】
また、電気コネクタ１において、押圧部材１３は、配線部材５０の左右方向の両端近傍に当接する押圧部１３ａと、かかる押圧部１３ａの間に配置される補助押圧部１３ｂとを有する。これにより、接点部５１の配列数が多く幅の広い配線部材５０においても、安定して配線部材５０を押圧することができる。したがって、上述の配線部材５０の抜去方向への移動をスムーズに行うことができる。
【００４３】
なお、幅の狭い配線部材５０を接続する場合、押圧部材１３は、配線部材５０の左右方向の両端近傍に当接する一対の押圧部１３ａのみであってもよい。
【００４４】
また、押圧部材１３は、押圧部１３ａと、補助押圧部１３ｂと、梁部１３ｃとが一体となって構成されているが、複数の部材に分かれて構成されていてもよい。アクチュエータ１１と配線部材５０との間に配置が可能であり、第２位置に変位するアクチュエータ１１からの応力が配線部材５０に伝達可能に構成されていれば、押圧部材１３はどのような構成であってもよい。一方で、押圧部材１３を一体で構成することにより、収容部１０ａへの収容が容易になり、実施形態にかかる電気コネクタ１の製造工程を簡素化することができる。
【００４５】
また、第２ビーム１２ｂの後端には、下方に延びる凸形状の凸部１２ｉが設置されている。かかる凸部１２ｉにより、アクチュエータ設置部１０ｂ側に配置される第１ビーム１２ａと第２ビーム１２ｂとの間の距離は、第１カム１１ｃの最短径の部分の長さに比べて、小さくなるように構成されている。したがって、アクチュエータ１１が第１位置にある場合においても、アクチュエータ１１がアクチュエータ設置部１０ｂから脱離することを防止することができる。
【００４６】
なお、電気コネクタ１においては、前述のように、コンタクト１２の回動部１２ｈを基準にして、第１カム１１ｃによりアクチュエータ１１が軸支されているが、アクチュエータ１１の軸支の構成は上記の実施形態に限られない。例えば、アクチュエータ１１の左右側面の軸心１１ｅに対応する位置に別途一対の軸部を設け、かかる軸部が当接するハウジング１０の一部に一対の受け部を設け、一対の受け部に一対の軸部を係合させることにより、アクチュエータ１１を回動可能に軸支してもよい。
【００４７】
＜４．変形例＞
次に、図１０を参照して、実施形態の電気コネクタ１の変形例について説明する。
【００４８】
上述した電気コネクタ１は、いわゆるＺＩＦ構造の電気コネクタであったが、図１０に示す電気コネクタ１Ａは、いわゆるＬＩＦ（Ｌｏｗ  Ｉｎｓｅｒｔｉｏｎ  Ｆｏｒｃｅ）構造の電気コネクタである。その他の点は、電気コネクタ１と同様であり、共通の構成については同一の符号を付して、詳細な説明は省略する。
【００４９】
電気コネクタ１Ａにおいては、電気コネクタ１と異なり、アクチュエータ１１が第１位置にある場合、接触部１２ｆと接触部１２ｄとの距離が配線部材５０の板厚と同一、あるいは、配線部材５０の板厚よりも若干小さい。これにより、配線部材５０を収容部１０ａに挿入する際、接触部１２ｆは配線部材５０と軽く接触するが、そのときの挿入力は従来のｎｏｎ−ＺＩＦ構造よりも小さい。ただし、接触部１２ｆと配線部材５０との接触が弱いため、挿入の際のワイピング効果を確実に得られないことがある。
【００５０】
そして、配線部材５０がハウジング１０に挿入された後、操作部１１ｂが操作されて、アクチュエータ１１が第１位置から第２位置に変位する。この際、電気コネクタ１Ａでは、電気コネクタ１と異なり、アクチュエータ１１が第２位置へ変位する前に既に接触部１２ｆは配線部材５０と接触している。また、受圧部１２ｇの上方変位に伴って、接触部１２ｆおよび接触部１２ｄは、それぞれ配線部材５０の主面Ｍに設けられた接点部５１とその反対面とに強固に弾性接触する。
【００５１】
そして、電気コネクタ１Ａにおいても、電気コネクタ１と同様に、接触部１２ｆおよび接触部１２ｄと配線部材５０の接点部５１とが弾性接触した状態で、アクチュエータ１１は、押圧部材１３を押圧して配線部材５０を抜去方向に移動させる（図９参照）。このとき、コンタクト１２に対して配線部材５０の接点部５１が摺動するため、いわゆるワイピング効果によりコンタクト１２と接点部５１との電気的接続を良好に得ることができる。
【００５２】
なお、ハウジング１０に収容された配線部材５０を、電気コネクタ１Ａから取り外す場合は、アクチュエータ１１を第２位置から第１位置に変位させる。すると、受圧部１２ｇの下方変位に伴い、接触部１２ｆおよび接触部１２ｄは、配線部材５０に軽く接触する元の状態へと弾性復帰する。したがって、配線部材５０に対するロック状態が解除され、配線部材５０は容易に電気コネクタ１Ａから取り外される。
【００５３】
＜５．電気コネクタの他の構成＞
次に、電気コネクタの他の構成例を図１１および図１２を参照して説明する。なお、図１１および図１２は、それぞれ上述の図８および図９に対応する図である。
【００５４】
上述した電気コネクタ１は、アクチュエータ１１を回動させることによってコンタクト１２および押圧部材１３を変位させたが、図１１および図１２に示す電気コネクタ１Ｂは、アクチュエータ２１を前後方向にスライド変位させることによってコンタクト１２および押圧部材１３を変位させる。また、ハウジング１０には、アクチュエータ２１がスライド変位されて挿入されるアクチュエータ挿入部１０ｆを有する。その他の点は、電気コネクタ１と同様であり、共通の構成については同一の符号を付して、詳細な説明は省略する。
【００５５】
ハウジング１０は、アクチュエータ２１が挿入可能なアクチュエータ挿入部１０ｆを後方側に有する。また、アクチュエータ挿入部１０ｆの上方にはコンタクト１２の受圧部１２ｇが配置され、アクチュエータ挿入部１０ｆの下方にはコンタクト１２の第１ビーム１２ａの一部が配置される。
【００５６】
アクチュエータ２１は、ハウジング１０の後方側に設けられたアクチュエータ挿入部１０ｆにおいて、左右方向（Ｙ軸方向）の両端に図示が省略されているガイド部によって支持されている。そしてアクチュエータ２１は、後方側に配置される第１位置と前方側に配置される第２位置との間でスライド変位可能にハウジング１０に取り付けられている。アクチュエータ２１は、断面視で略矩形状の操作部２１ａと、操作部２１ａの前方側下部から前方に延伸し、操作部２１ａよりも厚みが薄い略平板形状の挿入部２１ｂとを有する。また、挿入部２１ｂの上面には、アクチュエータ２１が第２位置にある場合に、コンタクト１２の凸部１２ｉと向かい合う位置に設けられ、凸部１２ｉと係合可能な形状の凹部２１ｃが設けられている。さらに、挿入部２１ｂの上面には、凹部２１ｃから前方側に向けて徐々に高さが低くなるように傾斜する傾斜部２１ｄが設けられている。
【００５７】
そして、電気コネクタ１Ｂの収容部１０ａに、配線部材５０が挿入方向に挿入される。上述の電気コネクタ１と同様に、電気コネクタ１Ｂにおいても、アクチュエータ２１が第１位置にある場合、第２位置にある場合に比べて、接触部１２ｆと接触部１２ｄとの上下方向における距離は、配線部材５０の板厚よりも大きい（いわゆる、ＺＩＦ構造）。したがって、アクチュエータ２１が第１位置にある場合には、配線部材５０が収容部１０ａに挿入される際の挿入力はほぼゼロである。
【００５８】
配線部材５０がハウジング１０に挿入された後、操作部２１ａが操作されて、アクチュエータ２１が前方向にスライドされて第１位置から第２位置に変位すると、アクチュエータ２１の挿入部２１ｂはハウジング１０のアクチュエータ挿入部１０ｆに挿入される。すると、図１１に示すように、コンタクト１２の受圧部１２ｇは、挿入部２１ｂに設けられた傾斜部２１ｄから徐々に上方向の圧力を受けて上方向に変位する。そして、受圧部１２ｇのかかる変位に伴って、第２ビーム１２ｂの接触部１２ｆは下方向に変位し、配線部材５０の接点部５１を押圧する。なお、上述のアクチュエータ２１によるコンタクト１２の変位は、アクチュエータ２１が第１位置から第２位置にスライド変位する最中の略前半部分で行われる。
【００５９】
また、図１２に示すように、アクチュエータ２１が第１位置から第２位置にスライド変位している最中に、アクチュエータ２１の挿入部２１ｂの前方端２１ｅは、押圧部材１３の押圧部１３ａおよび補助押圧部１３ｂと当接する。すると、押圧部１３ａおよび補助押圧部１３ｂが抜去方向に押圧されることにより、配線部材５０も押圧部１３ａ、補助押圧部１３ｂおよび梁部１３ｃに押圧されて抜去方向に移動する。なお、上述のアクチュエータ２１による配線部材５０の移動は、アクチュエータ２１が第１位置から第２位置にスライド変位する最中の略後半部分で行われる。そして、アクチュエータ２１には傾斜部２１ｄが設けられていることから、配線部材５０がコンタクト１２で完全に挟持される前に、前方端２１ｅにより配線部材５０を抜去方向に移動させることができる。
【００６０】
ここで、電気コネクタ１Ｂにおいては、電気コネクタ１と同様に、コンタクト１２の接触部１２ｄおよび接触部１２ｆと配線部材５０の接点部５１とは、配線部材５０の抜去方向の移動に伴い摺接する。したがって、上述のいわゆるワイピング効果により、接触部１２ｄおよび接触部１２ｆと接点部５１との電気的接続を良好に得ることができる。
【００６１】
すなわち、電気コネクタ１Ｂにおいても、配線部材５０を電気コネクタ１Ｂに接続する際の作業性を良好に保つと共に、コンタクト１２と接点部５１との電気的接続を良好に得ることができる。
【００６２】
また、電気コネクタ１Ｂにおいては、電気コネクタ１と同様に、アクチュエータ２１が第２位置にある場合に配線部材５０はロック状態となり、配線部材５０が電気コネクタ１Ｂから抜去することを抑制することができる。
【００６３】
また、電気コネクタ１Ｂにおいて、コンタクト１２の第２ビーム１２ｂには凸部１２ｉが設けられ、アクチュエータ２１には、凹部２１ｃが設けられる。そして、アクチュエータ２１が第２位置にスライド変位されると、コンタクト１２の凸部１２ｉとアクチュエータ２１の凹部２１ｃとが係合する。したがって、アクチュエータ２１においては、かかる係合により第２位置から第１位置へのスライド変位が規制され、配線部材５０のロック状態を維持することができる。
【００６４】
なお、電気コネクタ１Ｂにおいては、上述の変形例に係る電気コネクタ１Ａと同様に、接触部１２ｆと接触部１２ｄとの上下方向における距離が配線部材５０の板厚と同一、あるいは、配線部材５０の板厚よりも若干小さい、いわゆるＬＩＦ構造であってもよい。
【００６５】
また、電気コネクタ１Ｂにおいては、アクチュエータ２１で押圧部材１３を押圧することにより、配線部材５０を抜去方向に移動させていたが、配線部材５０を抜去方向に移動させる方法はこれに限られない。例えば、図１３に示すアクチュエータ２１Ａを用いることにより、押圧部材１３を用いることなくアクチュエータ２１Ａで直接、配線部材５０を抜去方向に移動させることができる。
【００６６】
アクチュエータ２１Ａは、上述のアクチュエータ２１と同様の構成を有する。さらに、アクチュエータ２１Ａは、その前方端２１ｅに挿入押圧部２１ｆおよび補助挿入押圧部２１ｇが一体に形成されている。挿入押圧部２１ｆは、配線部材５０の延伸方向（前後方向）に延び、複数のコンタクト１２の配列方向における両端に配置される。補助挿入押圧部２１ｇは、配線部材５０の延伸方向（前後方向）に延び、一対の挿入押圧部２１ｆの間にコンタクト１２に沿って配置される。
【００６７】
そして、押圧部材１３が収容されていないハウジング１０の収容部１０ａに配線部材５０が挿入された後、図１１および図１２に示すアクチュエータ２１と同様に、操作部２１ａが操作されて、アクチュエータ２１Ａが前方向にスライドされて第１位置から第２位置に変位すると、かかる変位の最中に、第２ビーム１２ｂの接触部１２ｆは下方向に変位し、配線部材５０の接点部５１を押圧する。
【００６８】
さらに、アクチュエータ２１Ａが第１位置から第２位置にスライド変位されている最中に、アクチュエータ２１Ａの前方端２１ｅに形成された挿入押圧部２１ｆおよび補助挿入押圧部２１ｇは、スライド変位されてハウジング１０の開口部１０ｅ（図５参照）を挿通し、配線部材５０と当接する。すると、配線部材５０が挿入押圧部２１ｆおよび補助挿入押圧部２１ｇに直接押圧されて、抜去方向に移動する。
【００６９】
このとき、コンタクト１２に対して配線部材５０の接点部５１が摺動するため、いわゆるワイピング効果によりコンタクト１２と接点部５１との電気的接続を良好に得ることができる。
【００７０】
なお、ここでは押圧部材１３を用いずにアクチュエータ２１Ａで配線部材５０を押圧する例を示したが、さらに押圧部材１３を用いて配線部材５０を押圧してもよい。例えば、梁部１３ｃ（図４参照）で構成された押圧部材１３が収容されたハウジング１０の収容部１０ａに、配線部材５０が挿入される。この構成によれば、ハウジング１０の開口部１０ｅを挿通した挿入押圧部２１ｆおよび補助挿入押圧部２１ｇは、梁部１３ｃで構成された押圧部材１３と当接して押圧部材１３を抜去方向に押圧する。すると、梁部１３ｃが抜去方向に押圧されることにより、配線部材５０も梁部１３ｃに押圧されて抜去方向に移動する。
【００７１】
このように、梁部１３ｃで構成された押圧部材１３をさらに用いて配線部材５０を押圧することにより、第２位置にスライド変位するアクチュエータ２１Ａからの応力が配線部材５０の端部に均等に伝達可能であることから、配線部材５０を均等に押圧することができる。
【００７２】
以上、本発明の実施形態について説明したが、本発明は上述の実施形態に限定されるものではなく、その趣旨を逸脱しない限りにおいて種々の変更が可能である。例えば、上述の実施形態において、アクチュエータが回動またはスライドされて変位する例を示しているが、アクチュエータの変位の構成は回動およびスライドに限られない。アクチュエータが配線部材にコンタクトを弾性接触させる機能と、押圧部材を押圧して配線部材を抜去方向に移動させる機能とを備えていれば、どのような変位の構成であってもよい。
【００７３】
また、上述の実施形態においては、コンタクト１２に接触部１２ｄおよび１２ｆが設けられ、配線部材５０に上下方向から接触する例を示している。しかしながら、配線部材５０を接触部１２ｄと接触部１２ｆの間で挟む必要は無い。例えば、変位可能な接触部１２ｆのみが設けられ、アクチュエータ１１により接触部１２ｆを下方向に変位させて、配線部材５０の主面Ｍに配置された接点部５１に接触部１２ｆを押圧させ、主面Ｍの反対面はハウジング１０の収容部１０ａを構成する第２壁部１０ｄで受けてもよい。
【００７４】
また、上述の実施形態においては、コンタクト１２のみを用いたが、コンタクトの基板接続部１２ｅが収容部１０ａ側に位置するように構成された第２のコンタクトも用いて、コンタクト１２および第２のコンタクトのそれぞれの基板接続部１２ｅが千鳥状になるように配置してもよい。
【００７５】
また、上述の実施形態においては、平型の配線部材５０を収容する電気コネクタについて示しているが、収容される配線部材は平型形状に限られない。また、上述の実施形態において、アクチュエータ１１に設けられた第１カム１１ｃや凹部２１ｃを用いて、アクチュエータ１１の第２位置から第１位置への変位を規制しているが、アクチュエータの変位を規制する規制部材を電気コネクタに別途設けてもよい。
【００７６】
また、上述の実施形態においては、配線部材５０を回路基板６０と平行の向きに挿入する水平挿入タイプであったが、挿入タイプは水平挿入タイプに限られない。例えば、配線部材５０を回路基板６０と垂直の向きに挿入する垂直挿入タイプであってもよい。
【００７７】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【００７８】
１、１Ａ、１Ｂ  電気コネクタ
１０    ハウジング
１０ａ  収容部
１０ｂ  アクチュエータ設置部
１０ｃ  第１壁部
１０ｄ  第２壁部
１０ｅ  開口部
１０ｆ  アクチュエータ挿入部
１１、２１、２１Ａ  アクチュエータ
１１ａ  本体部
１１ｂ  操作部
１１ｃ  第１カム
１１ｄ  第２カム
１１ｅ  軸心
１１ｆ  側面
１２    コンタクト
１２ａ  第１ビーム
１２ｂ  第２ビーム
１２ｃ  連結部
１２ｄ、１２ｆ  接触部
１２ｅ  基板接続部
１２ｇ  受圧部
１３    押圧部材
１３ａ  押圧部
１３ｂ  補助押圧部
１３ｃ  梁部
１３ｄ  係止部
５０    配線部材
５１    接点部
【図１】
2018018631.tif 000003
【図２】
2018018631.tif 000004
【図３】
2018018631.tif 000005
【図４】
2018018631.tif 000006
【図５】
2018018631.tif 000007
【図６】
2018018631.tif 000008
【図７】
2018018631.tif 000009
【図８】
2018018631.tif 000010
【図９】
2018018631.tif 000011
【図１０】
2018018631.tif 000012
【図１１】
2018018631.tif 000013
【図１２】
2018018631.tif 000014
【図１３】
2018018631.tif 000015